(57)【要約】【課題】心筋内部組織と冠動脈との位置関係を広範囲に亘って一目で把握できる２次元観察用画像を生成可能な医用画像生成装置、方法およびプログラムを得る。【解決手段】医用画像生成装置１は、画像撮像装置４により撮像して取得された３次元医用画像データによって構築される画像空間内に、観察対象である心臓の少なくとも一部を含む対象領域を設定し、対象領域内の３次元医用画像データに基づいて心臓の２次元観察用画像を生成する装置であって、画像空間内において、心臓内を通過する基準軸を設定する基準軸設定手段２０を備え、基準軸と直交する複数の断面を設定し、心筋の内部組織形状画像と冠動脈形状画像とを、同心円状の複数のリング状表示領域のうち当該断面に対応するリング状表示領域内に表すようにしたブルズアイ表示を用いて、２次元観察用画像としてのブルズアイ画像を生成する。【選択図】  図１
2014076288.tif 000002
【特許請求の範囲】
【請求項１】
医用画像撮像装置により撮像して取得された３次元医用画像データによって構築される画像空間内に、観察対象である心臓の少なくとも一部を含む対象領域を設定し、前記対象領域内の３次元医用画像データに基づいて前記心臓の２次元観察用画像を生成する医用画像生成装置であって、
前記画像空間内において、前記心臓内を通過する基準軸を設定する基準軸設定手段と、
前記基準軸と直交する複数の断面を設定し、前記複数の断面のそれぞれについて、当該断面に含まれる心筋内部組織データと冠動脈データとを用いて生成された心筋の内部組織形状を表す内部組織形状画像と冠動脈形状を表す冠動脈形状画像とを、同心円状の複数のリング状表示領域のうち当該断面に対応するリング状表示領域内に表すようにしたブルズアイ表示を用いて前記２次元観察用画像を生成する観察用画像生成手段と、を備えたことを特徴とする医用画像生成装置。
【請求項２】
前記観察用画像生成手段は、
前記断面に含まれる心筋内部組織データを抽出し、当該断面に対応するリング状表示領域内に表される前記内部組織形状画像を生成する内部組織形状画像生成手段と、
前記断面に含まれる冠動脈データを抽出し、当該断面に対応するリング状表示領域内に表される前記冠動脈形状画像を生成する冠動脈形状画像生成手段と、
前記断面の中心から外方に延びる同一の線上に位置する前記内部組織形状画像および前記冠動脈形状画像における対応領域が、前記リング状表示領域の径方向に対応して表されるように、各々の前記リング状表示領域内に表される前記内部組織形状画像および前記冠動脈形状画像の表示位置を設定する表示位置設定手段と、を備えたことを特徴とする請求項１に記載の医用画像生成装置。
【請求項３】
前記冠動脈形状画像生成手段は、前記対象領域内の３次元医用画像データに基づいて決定される前記冠動脈の芯線を基にして、当該３次元医用画像データから冠動脈データを分離し、当該分離された冠動脈データから前記断面に含まれる冠動脈データを抽出し、
前記内部組織形状画像生成手段は、前記対象領域内の３次元医用画像データから前記冠動脈データが分離された後に残るデータから、前記断面に含まれる心筋内部組織データを抽出することを特徴とする請求項２に記載の医用画像生成装置。
【請求項４】
前記観察用画像生成手段は、ボリュームレンダリング法により、前記断面に沿って前記基準軸から外方に向かう線上に位置する、前記３次元医用画像データに基づくボクセルデータを積算して、前記内部組織形状画像および前記冠動脈形状画像を生成することを特徴とする請求項１〜３のいずれか一項に記載の医用画像生成装置。
【請求項５】
前記観察用画像生成手段は、各々の前記ボクセルデータに対して不透明度および色のパラメータを付与するとともに、所定の閾値を越える不透明度が与えられたボクセルに対応する部分に対して優先的に影付けを行うことを特徴とする請求項４に記載の医用画像生成装置。
【請求項６】
前記対象領域は複数の分割領域に分割可能であり、
前記分割領域内に位置する画像領域には、当該分割領域に対応する色が付与され、
前記観察用画像生成手段は、前記内部組織形状画像および前記冠動脈形状画像を前記分割領域に与えられた色を用いて表すことにより、前記２次元観察用画像を生成することを特徴とする請求項１〜５のいずれか一項に記載の医用画像生成装置。
【請求項７】
前記観察用画像生成手段は、前記内部組織形状画像および前記冠動脈形状画像の各々に対して、個別に不透明度を付与することが可能であることを特徴とする請求項１〜６のいずれか一項に記載の医用画像生成装置。
【請求項８】
医用画像撮像装置により撮像して取得された３次元医用画像データによって構築される画像空間内に、観察対象である心臓の少なくとも一部を含む対象領域を設定し、前記対象領域内の３次元医用画像データに基づいて前記心臓の２次元観察用画像を生成する医用画像生成方法であって、
前記画像空間内において、前記心臓内を通過する基準軸を設定する基準軸設定処理と、
前記基準軸と直交する複数の断面を設定し、前記複数の断面のそれぞれについて、当該断面に含まれる心筋内部組織データと冠動脈データとを用いて生成された心筋の内部組織形状を表す内部組織形状画像と冠動脈形状を表す冠動脈形状画像とを、同心円状の複数のリング状表示領域のうち当該断面に対応するリング状表示領域内に表すようにしたブルズアイ表示を用いて前記２次元観察用画像を生成する観察用画像生成処理と、を行うことを特徴とする医用画像生成方法。
【請求項９】
医用画像撮像装置により撮像して取得された３次元医用画像データによって構築される画像空間内に、観察対象である心臓の少なくとも一部を含む対象領域を設定し、前記対象領域内の３次元医用画像データに基づいて前記心臓の２次元観察用画像を生成する処理をコンピュータにおいて実行せしめる医用画像生成プログラムであって、
前記画像空間内において、前記心臓内を通過する基準軸を設定する基準軸設定ステップと、
前記基準軸と直交する複数の断面を設定し、前記複数の断面のそれぞれについて、当該断面に含まれる心筋内部組織データと冠動脈データとを用いて生成された心筋の内部組織形状を表す内部組織形状画像と冠動脈形状を表す冠動脈形状画像とを、同心円状の複数のリング状表示領域のうち当該断面に対応するリング状表示領域内に表すようにしたブルズアイ表示を用いて前記２次元観察用画像を生成する観察用画像生成ステップと、をコンピュータにおいて実行せしめることを特徴とする医用画像生成プログラム。
【発明の詳細な説明】
【技術分野】
【０００１】
本発明は、画像診断を支援する画像生成技術に関するものであり、特に、ＣＴ（computed  tomography）、ＭＲＩ（magnetic  resonance  imaging）等の医用画像撮像装置により撮像して得られた所定の信号値（ＣＴ値や信号強度）の空間分布を示す３次元画像データに基づき、診断支援等に好適な２次元観察用画像を生成し得る医用画像生成装置、方法およびプログラムに関する。
【背景技術】
【０００２】
現在、医療分野において用いられる医用画像構成手法は、医用画像撮像装置により得られた断層画像群に基づきコンピュータ上で被観察体の３次元画像モデルを構築し、この３次元画像モデルが有する形状情報の劣化を最小限に抑制しつつ、２次元平面上に投影した画像を構成するものが一般的である。例えば、最大値（輝度）投影法（maximum intensity projection；ＭＩＰ）、最小値（輝度）投影法（minimum intensity projection；ＭinＩＰ）、およびボリュームレンダリング法（volume rendering；ＶＲ）等が知られている（例えば、下記非特許文献１の３７９頁、３８２〜３８４頁参照）。
【０００３】
最近では医用画像撮像装置により高密度な断層画像が得られるようになり、例えば心拍に対応させて心臓を撮像することにより、心拍動の影響を抑えた心臓の断層画像を得ることが可能になっている。このようにして取得された心臓の断層画像群を用いれば、心筋を栄養する冠動脈の病変診断、心筋への脂肪沈着診断、および心筋梗塞等の心筋症診断といった、種々の診断に適した２次元観察用画像を生成できる。このようにして生成された２次元観察用画像は、画像診断の支援に好適なだけではなく、心臓手術における重要な術前情報源ともなり得る。例えば下記特許文献１の図１２には、心拍運動が正常か否かを評価するための評価指標データを表した心機能ブルズアイ画像と、冠動脈像ブルズアイ画像とを重ね合わせてなる、心機能の診断に適した重ね合わせ画像の生成について開示されている。
【０００４】
ところで、心臓は、心筋が収縮・拡張することで全身に血液を拍出するポンプの役目を担っており、収縮・拡張時に血液が逆流しないように４つの弁（三尖弁、肺動脈弁、僧帽弁および大動脈弁）を備えている。このうちの僧帽弁は、左心房と左心室との間に位置し、左心室内部の乳頭筋（乳頭筋から延びる腱索）によって開閉可能に支えられている。このため、乳頭筋の機能が低下すると、僧帽弁の開閉動作に支障をきたし、例えば血液の逆流や血液の通過障害（いわゆる弁膜症）を引き起こす可能性がある。
【先行技術文献】
【特許文献】
【０００５】
【特許文献１】特開２０１０−２４６７７６号公報
【非特許文献】
【０００６】
【非特許文献１】編集  栗林幸夫、佐久間肇  心臓血管疾患のＭＤＣＴとＭＲＩ  医学書院
【発明の概要】
【発明が解決しようとする課題】
【０００７】
例えば心筋にメスを入れる左室形成術においては、メスを入れる場所によっては乳頭筋を損傷する虞があり、また、この位置情報が付随手術等の手術戦略にも影響を及ぼすため、特に乳頭筋の位置情報を術前に得ることが重要になる。そこで、乳頭筋の位置情報を得るために、心臓の外膜側から内側に向けて直線を設定した上でＶＲ法（平行投影法）により２次元観察用画像を生成する方法が考えられる。この方法を採用した場合、乳頭筋は左心室内部に存在するため、心筋の外膜側組織に隠されて２次元観察用画像上に現れず、乳頭筋の位置を把握することが困難であった。
【０００８】
上記の方法以外に、放射状に直線を設定した上でＶＲ法（透視投影法）により２次元観察用画像を生成する方法も考えられる。この方法を採用した場合には、心筋の局所的な内部組織を把握するのに適した２次元観察用画像が得られる一方で、視野が局所的な領域に限られるため心筋の内部組織全体（心筋内部における乳頭筋の位置）を把握するためには視点を変更する必要があり、一目で心筋の内部組織全体を把握することが難しかった。
【０００９】
さらに、左室形成術においては、心筋の外膜側表面を走行して心筋を栄養する冠動脈を損傷させないことも重要となる。このため、冠動脈が存在する領域を避けつつ、乳頭筋が存在する領域も避けるようにしてメスを入れるために、冠動脈および乳頭筋の互いの位置関係を一目で把握できる２次元観察用画像が求められる。特許文献１の心機能ブルズアイ画像には、乳頭筋の実際の形状が表示されないので、特許文献１の図１２を観察しても、乳頭筋と冠動脈との位置関係を把握することが難しい。そこで、左心室内部に視点を設けて心筋外膜側に向けて直線を設定した上で、ＶＲ法により２次元観察用画像を生成する方法が考えられる。しかし、この方法を採用した場合、心筋内部組織（例えば乳頭筋）の背後に位置する冠動脈は心筋内部組織に隠れて画像上に表示されにくく、乳頭筋に代表される心筋内部組織全体と冠動脈との互いの位置関係を、広範囲に亘って一目で把握できる２次元観察用画像を生成することが困難であった。
【００１０】
本発明は上記のような課題に鑑みてなされたものであり、心筋内部組織と冠動脈との位置関係を広範囲に亘って一目で把握できる２次元観察用画像を生成可能な医用画像生成装置、方法およびプログラムを提供することを目的とする。
【課題を解決するための手段】
【００１１】
上記目的を達成するため、本発明に係る医用画像生成装置、方法およびプログラムは、以下のように構成されている。
【００１２】
すなわち、本発明に係る医用画像生成装置は、
医用画像撮像装置により撮像して取得された３次元医用画像データ（例えばＣＴ画像データやＭＲＩ画像データ）によって構築される画像空間内に、観察対象である心臓の少なくとも一部を含む対象領域を設定し、前記対象領域内の３次元医用画像データに基づいて前記心臓の２次元観察用画像を生成する医用画像生成装置であって、
前記画像空間内において、前記心臓内を通過する基準軸を設定する基準軸設定手段と、
前記基準軸と直交する複数の断面を設定し、前記複数の断面のそれぞれについて、当該断面に含まれる心筋内部組織データと冠動脈データとを用いて生成された心筋の内部組織形状を表す内部組織形状画像と冠動脈形状を表す冠動脈形状画像とを、同心円状の複数のリング状表示領域のうち当該断面に対応するリング状表示領域内に表すようにしたブルズアイ表示を用いて前記２次元観察用画像を生成する観察用画像生成手段と、を備えたことを特徴とする。
【００１３】
ここで、内部組織形状画像とは、心筋の内部組織の形状を反映させた画像のことをいい、冠動脈形状画像とは、冠動脈の形状を反映させた画像のことをいうものとする。また、形状画像とは、ＣＴ画像やＭＲＩ画像に代表されるものであるが、ＲＩ画像（核医学画像）に代表される機能画像に対し、相対的に用いられる用語である。
【００１４】
本発明に係る医用画像生成装置において、
前記観察用画像生成手段は、
前記断面に含まれる心筋内部組織データを抽出し、当該断面に対応するリング状表示領域内に表される前記内部組織形状画像を生成する内部組織形状画像生成手段と、
前記断面に含まれる冠動脈データを抽出し、当該断面に対応するリング状表示領域内に表される前記冠動脈形状画像を生成する冠動脈形状画像生成手段と、
前記断面の中心から外方に延びる同一の線上に位置する前記内部組織形状画像および前記冠動脈形状画像における対応領域が、前記リング状表示領域の径方向に対応して表されるように、各々の前記リング状表示領域内に表される前記内部組織形状画像および前記冠動脈形状画像の表示位置を設定する表示位置設定手段と、を備えた構成が好ましい。
【００１５】
本発明に係る医用画像生成装置において、
前記冠動脈形状画像生成手段は、前記対象領域内の３次元医用画像データに基づいて決定される前記冠動脈の芯線を基にして、当該３次元医用画像データから冠動脈データを分離し、当該分離された冠動脈データから前記断面に含まれる冠動脈データを抽出し、
前記内部組織形状画像生成手段は、前記対象領域内の３次元医用画像データから前記冠動脈データが分離された後に残るデータから、前記断面に含まれる心筋内部組織データを抽出する構成が好ましい。
【００１６】
また、前記観察用画像生成手段は、ボリュームレンダリング法により、前記断面に沿って前記基準軸から外方に向かう線上に位置する、前記３次元医用画像データに基づくボクセルデータを積算して、前記内部組織形状画像および前記冠動脈形状画像を生成する構成が好ましい。
【００１７】
さらに、前記観察用画像生成手段は、各々の前記ボクセルデータに対して不透明度および色のパラメータを付与するとともに、所定の閾値を越える不透明度が与えられたボクセルに対応する部分に対して優先的に影付けを行う構成とすることも好ましい。
【００１８】
本発明に係る医用画像生成装置において、
前記対象領域は複数の分割領域に分割可能であり、
前記分割領域内に位置する画像領域には、当該分割領域に対応する色が付与され、
前記観察用画像生成手段は、前記内部組織形状画像および前記冠動脈形状画像を前記分割領域に与えられた色を用いて表すことにより、前記２次元観察用画像を生成する構成が好ましい。
【００１９】
なお、前記観察用画像生成手段は、前記内部組織形状画像および前記冠動脈形状画像の各々に対して、個別に不透明度を付与することが可能である構成が好ましい。
【００２０】
本発明に係る医用画像生成方法は、
医用画像撮像装置により撮像して取得された３次元医用画像データによって構築される画像空間内に、観察対象である心臓の少なくとも一部を含む対象領域を設定し、前記対象領域内の３次元医用画像データに基づいて前記心臓の２次元観察用画像を生成する医用画像生成方法であって、
前記画像空間内において、前記心臓内を通過する基準軸を設定する基準軸設定処理と、
前記基準軸と直交する複数の断面を設定し、前記複数の断面のそれぞれについて、当該断面に含まれる心筋内部組織データと冠動脈データとを用いて生成された心筋の内部組織形状を表す内部組織形状画像と冠動脈形状を表す冠動脈形状画像とを、同心円状の複数のリング状表示領域のうち当該断面に対応するリング状表示領域内に表すようにしたブルズアイ表示を用いて前記２次元観察用画像を生成する観察用画像生成処理と、を行うことを特徴とする。
【００２１】
また、本発明に係る医用画像生成プログラムは、
医用画像撮像装置により撮像して取得された３次元医用画像データによって構築される画像空間内に、観察対象である心臓の少なくとも一部を含む対象領域を設定し、前記対象領域内の３次元医用画像データに基づいて前記心臓の２次元観察用画像を生成する処理をコンピュータにおいて実行せしめる医用画像生成プログラムであって、
前記画像空間内において、前記心臓内を通過する基準軸を設定する基準軸設定ステップと、
前記基準軸と直交する複数の断面を設定し、前記複数の断面のそれぞれについて、当該断面に含まれる心筋内部組織データと冠動脈データとを用いて生成された心筋の内部組織形状を表す内部組織形状画像と冠動脈形状を表す冠動脈形状画像とを、同心円状の複数のリング状表示領域のうち当該断面に対応するリング状表示領域内に表すようにしたブルズアイ表示を用いて前記２次元観察用画像を生成する観察用画像生成ステップと、をコンピュータにおいて実行せしめることを特徴とする。
【発明の効果】
【００２２】
本発明に係る医用画像生成装置は、心筋の内部組織形状画像と冠動脈形状画像とを、断面に対応するリング状表示領域内に表すようにしたブルズアイ表示法を用いて２次元観察用画像を生成する。このため、心筋の内部組織形状画像と冠動脈形状画像とをリング状表示領域内において径方向に対応させた画像を、心臓の広範囲（例えば、左心室全体）に亘って生成することができる。よって、乳頭筋に代表される心筋内部組織全体と冠動脈との互いの位置関係を、広範囲に亘って一目で把握でき、例えば術前の有用な判断情報にもなり得る２次元観察用画像を生成できる。
【００２３】
本発明に係る医用画像生成装置において、同一の線上に位置する内部組織形状画像および冠動脈形状画像が、リング状表示領域の径方向に対応して表されるように表示位置が設定される構成が好ましい。このように構成すると、心筋の内部組織と冠動脈との位置関係を一目で把握可能な２次元観察用画像を生成できるので、例えば心臓にメスを入れる手術においては、メスを入れる位置を決定する際に有用な判断情報になり得る。
【００２４】
また、ボリュームレンダリング法により、内部組織形状画像および冠動脈形状画像を生成する構成が好ましい。この方法によれば、３次元医用画像データに基づいて構築された３次元画像モデルを、２次元画像上に投影して２次元観察用画像を生成する際に、３次元画像モデルが有する形状情報の劣化を最小限に抑制しつつ投影することが可能になる。
【００２５】
さらに、各々のボクセルデータに不透明度および色のパラメータを付与し、所定の閾値を越える不透明度が与えられた部分を優先的に影付けする構成も好ましい。この構成によれば、不透明度が高く光を透過させにくい部分が優先的に影付けされるので、実際の生体組織の形状を反映させた立体的な２次元観察用画像を生成できる。
【００２６】
本発明に係る医用画像生成装置において、内部組織形状画像および冠動脈形状画像を分割領域に与えられた色を用いて表して、２次元観察用画像を生成する構成が好ましい。この構成により、２次元観察用画像を観察すれば、表示色の違いによって各分割領域の情報（例えば、切開部位や切除部位等）を簡単に得ることができる。
【００２７】
なお、内部組織形状画像および冠動脈形状画像の各々に対して、個別に不透明度を付与できる構成が好ましい。これにより、例えば冠動脈形状画像の不透明度を低く設定して内部組織形状画像のみを表示させて、内部組織形状画像を詳細に観察したり、これとは反対に内部組織形状画像の不透明度を低く設定して冠動脈形状画像のみを表示させて、冠動脈形状画像を詳細に観察することが可能になる。
【００２８】
本発明に係る医用画像生成方法および医用画像生成プログラムによれば、上述した医用画像生成装置と同様に、心筋の内部組織形状画像と冠動脈形状画像とを、断面に対応するリング状表示領域内に表すようにしたブルズアイ表示法を用いて２次元観察用画像が生成される。このため、乳頭筋に代表される心筋内部組織全体と冠動脈との互いの位置関係を、広範囲に亘って一目で把握でき、例えば術前の有用な判断情報にもなり得る２次元観察用画像を生成できる。
【図面の簡単な説明】
【００２９】
【図１】本発明の一実施形態に係る医用画像生成装置の概略構成を示すブロック図である。
【図２】上記医用画像生成装置において実行される処理の流れを示すフローチャートである。
【図３】基準軸の設定処理の流れを示すフローチャートである。
【図４】ＶＲ計算・ブルズアイ表示の流れを示すフローチャートである。
【図５】対象領域として設定される前の心臓近傍を示す画像である。
【図６】対象領域として設定される前の心臓近傍を別の方向から示す画像である。
【図７】対象領域として設定された心臓近傍を示す画像である。
【図８】対象領域として設定された心臓近傍を別の方向から示す画像である。
【図９】対象領域内が分割された状態を示す画像である。
【図１０】対象領域内が分割された状態を別の方向から示す画像である。
【図１１】心尖部および心基部を基にして基準軸が設定された状態を示す画像である。
【図１２】心尖部および心基部を基にして基準軸が設定された状態を別の方向から示す画像である。
【図１３】基準軸に直交する断面内において直線を設定した状態を示す画像である。
【図１４】心臓のブルズアイ画像を示す一例であって、（ａ）は左心室の内部組織のブルズアイ画像を、（ｂ）は左心室の内部組織に冠動脈を重ねて表示させたブルズアイ画像をそれぞれ示す。
【発明を実施するための形態】
【００３０】
以下、本発明の実施形態について、上述の図面を参照しつつ詳細に説明する。まず、図１を参照しながら、本発明の一実施形態に係る医用画像生成装置１の装置構成について説明する。
【００３１】
図１に示す医用画像生成装置１は、ＣＴやＭＲＩ等の画像撮像装置４により得られた生体の３次元画像データに基づき、マウスやキーボード等からなる操作装置３によって選択された部位の２次元観察用画像を生成し、この２次元観察用画像を画像表示装置２に表示させるものである。この医用画像生成装置１は、特に心臓の状態を広範囲に亘って一目で把握可能な２次元観察用画像を生成して表示させることができる点に特徴を有する。
【００３２】
医用画像生成装置１は、コンピュータ等から構成されており、図１に示すように、制御部１１、画像データ記憶部１２、観察用画像記憶部１３、画像データ出力インタフェース１４、操作入力インタフェース１５および画像データ入力インタフェース１６を備えて構成される。
【００３３】
制御部１１は、各種の演算処理を行うＣＰＵにより構成され、基準軸設定手段２０、内部組織形状画像生成手段２１、冠動脈形状画像生成手段２２および表示位置設定手段２３を備える（詳細は後述）。画像データ記憶部１２および観察用画像記憶部１３は、ハードディスク、ＲＡＭまたはＲＯＭ等の記憶装置により構成され、制御部１１との間で各種データの送受信が可能に構成される。画像データ記憶部１２は、画像撮像装置４により断層撮影して得られた生体の３次元画像データ（ＣＴ画像データまたはＭＲＩ画像データ）を記憶するものである。観察用画像記憶部１３は、制御部１１において生成された２次元観察用画像データを記憶するものである。
【００３４】
画像データ出力インタフェース１４は、制御部１１から出力される画像データを画像表示装置２に伝達するインタフェースである。操作入力インタフェース１５は、操作装置３からの各種操作信号を制御部１１に伝達するインタフェースである。画像データ入力インタフェース１６は、画像撮像装置４からの３次元画像データを制御部１１に伝達するインタフェースである。
【００３５】
次に、医用画像生成装置１による２次元観察用画像の生成手順について、図５〜図１４を参照しつつ、図２〜図４に示すフローチャートに沿って説明する。
【００３６】
以下においては、被検体である生体を画像撮像装置４により断層撮影し、断層撮影して得られた断層画像群の３次元画像データ（ＣＴの場合には「ＣＴ値」、ＭＲＩの場合には「信号強度」のことを意味し、以下においては「信号値」とも称す）に基づいて、心臓の２次元観察用画像を生成する場合を説明する。本発明に係る医用画像生成装置１は、特に心臓を形成する心筋部の内部組織と心筋部の外膜側を走行する冠動脈との位置関係を、広範囲に亘って一目で把握できる２次元観察用画像を生成できる点に特徴を有する。なお、次述する２次元観察用画像の生成手順は、本発明の一実施形態に係る医用画像生成プログラムに従って実行されるものである。
【００３７】
〈１〉まず、画像撮像装置４から医用画像生成装置１に、被検体である生体を断層撮影して得られた３次元画像データが入力される（画像データ入力ステップ；図２のステップＳ１０参照）。医用画像生成装置１に入力された３次元画像データは、画像データ記憶部１２に記憶される。なお、本実施形態では、生体の３次元画像データを画像撮像装置４から取得する構成を想定しているが、この構成に代えて、ＣＤやＤＶＤ等の情報記憶媒体に記憶された３次元画像データを必要に応じて読み出して取得するようにしても良い。
【００３８】
画像データ記憶部１２に３次元画像データが記憶されると、制御部１１は、画像データ記憶部１２に記憶された３次元画像データを基にして、生体の３次元画像モデルを構築する。そして、制御部１１は、この３次元画像モデルの画像データを、画像データ出力インタフェース１４を介して画像表示装置２に出力する。これにより、生体の３次元画像モデルが画像表示装置２に表示される。図５および図６は、このようにして画像表示装置２に表示された３次元画像モデルのうち、心臓３０近傍部分を示している。
【００３９】
〈２〉ユーザーにより、画像診断しようとする部位を含むように対象領域が設定される（対象領域設定ステップ；図２のステップＳ２０参照）。例えば、心臓３０のうちで特に左心室の内部組織と冠動脈とを、広範囲に亘って一目で観察できる２次元観察用画像を得ようとする場合には、画像表示装置２に表示される３次元画像モデルを観察しながら操作装置３を操作して、心臓３０のうちで左心室を含む部分が対象領域として設定される。その設定信号が、操作入力インタフェース１５を介して制御部１１に入力される。図７および図８は、心臓３０のうちで左心室３１を形成する心筋部３２、およびこの心筋部３２の外膜側表面を走行する冠動脈（図示せず）を含むように対象領域３３（三角形状の領域）が設定された状態を示している。なお、本実施形態において、心臓３０は、心筋部３２および冠動脈等から形成されるものとして説明を行う。
【００４０】
このようにして対象領域３３が設定されると、以降の演算処理においてはこの対象領域３３内の３次元画像データを用いて演算が行われるため、不要な演算処理を省いて演算処理時間を短縮することができる。なお、本実施形態では、ユーザーが操作装置３を操作して対象領域３３を設定する構成を例示しているが、この構成に代えて、例えば画像データ記憶部１２に記憶された３次元画像データを基にして、心臓３０のうちで左心室３１（左心室３１を形成する心筋部３２）および冠動脈を含む領域を、対象領域３３として自動で設定するようにしても良い。
【００４１】
〈３〉ユーザーによる操作装置３の操作に基づいて、図９および図１０に示すように、対象領域３３内に含まれる心筋部３２および冠動脈が、複数の分割領域３４〜３９に分割される（対象領域分割ステップ；図２のステップＳ３０参照）。このようにして分割された分割領域３４〜３９は、視覚的に区別しやすいように領域毎に異なった色で表示される。なお、本実施形態においては、操作装置３の操作に基づいて複数の分割領域３４〜３９に分割する構成を例示しているが、この構成に代えて、例えば冠動脈の走行状態に基づくボロノイ分割を適用して、自動で分割される構成としても良い。
【００４２】
〈４〉次に、３次元画像データによって構築される空間内に、心臓３０の左心室３１内を通過するように基準軸４０を設定する（基準軸設定ステップ；図２および図３のステップＳ４０参照）。この基準軸４０は、後述するステップＳ５０で実行されるＶＲ計算において、複数の断面を設定する際に基準となる軸である。具体的には、制御部１１の基準軸設定手段２０により、図３のフローチャートに示す各処理が自動で実行されて基準軸４０が設定される。以下においては、基準軸４０の設定処理について、図３のフローチャートを参照しながら説明する。
【００４３】
〈４−１〉３次元画像データを基にして、図１１において心臓３０の下端部から左斜め下方に向けて尖った部分（図１２において心臓３０の下端部から右斜め下方に向けて尖った部分）を心尖部４１として特定する（心尖部特定ステップ；図３のステップＳ４１参照）。一般的に心臓（心筋部）は、下端部が下方に向けて尖った形状をしており、下端部の尖った部分を特定することで心尖部４１を特定することができる。
【００４４】
〈４−２〉ステップＳ４１で設定された心尖部４１を出発点として、心尖部４１が尖って突出する向き（図１２における右斜め下方向）とは反対向き（図１２における左斜め上方向）に、信号値の高い部分を辿ることにより、３次元形状が鞍形状をなす高信号値面を特定する。そして、この鞍形状の高信号値面を構成するピクセルのｘ座標値、ｙ座標値、ｚ座標値をそれぞれ平均し、高信号値面の中心位置として心基部４２を特定する（心基部特定ステップ；図３のステップＳ４２参照）。
【００４５】
〈４−３〉ステップＳ４１で設定された心尖部４１と、ステップＳ４２において設定された心基部４２とを通る軸を、基準軸４０として設定する（基準軸設定ステップ；図３のステップＳ４３参照）。このようにして、図１１および図１２に示すように、左心室３１を貫くよう基準軸４０が設定される。
【００４６】
〈５〉次に、対象領域３３に含まれる心筋部３２および冠動脈のそれぞれついて、ボリュームレンダリング演算を適用したＶＲ計算を行い、このＶＲ計算により得られた計算結果をブルズアイ表示法を用いて表し、心臓３０の２次元観察用画像を生成する（ＶＲ計算・ブルズアイ表示ステップ；図２および図４のステップＳ５０参照）。具体的には、内部組織形状画像生成手段２１、冠動脈形状画像生成手段２２および表示位置設定手段２３により、図４のフローチャートに示す各処理が実行されて心臓３０の２次元観察用画像が生成される。以下においては、ＶＲ計算・ブルズアイ表示ステップについて、図４のフローチャートに沿って説明する。
【００４７】
〈５−１〉まず、図１１および図１２に示すように、３次元画像データによって構築される空間内に、基準軸４０に直交する断面群Ｃ（断面Ｃ１，Ｃ２，Ｃ３，…，Ｃｎ）を設定する（断面群設定ステップ；図４のステップＳ５１参照）。このとき、心尖部４１から心基部４２までの範囲内に、等間隔となるように断面群Ｃが設定される。ここで、最も心尖部４１側に設定された断面をＣ１、最も心基部４２側に設定された断面をＣｎとする。なお、必ずしも等間隔に断面群Ｃを設定する必要はないが、等間隔に断面群Ｃを設定すると、後述するＶＲ計算およびブルズアイ表示を行う際の演算処理負担を軽減できる。
【００４８】
〈５−２〉制御部１１の内部組織形状画像生成手段２１により、心筋部３２についてＶＲ計算が行われる（心筋部ＶＲ計算ステップ；図４のステップＳ５２参照）。ＶＲ計算においては、３次元画像データによって構築される空間内にボクセルを設定し、各ボクセルに対して３次元画像データ（信号値）に基づくボクセルデータが与えられる。また、図１３に示すように、各断面内において基準軸４０の位置を中心とし、この中心から断面に沿って径方向に延びる直線４３が、所定の角度間隔（例えば１０度）で３６０度に亘って設定される。そして、ステップＳ５１で設定された断面毎にボリュームレンダリング演算を施し、心筋部３２に対応するボクセルデータを各直線４３方向に積算する。ここで、心筋部３２の３次元画像データには、左心室３１の内部組織形状（例えば、乳頭筋の形状）に関するデータも含まれる。よって、ステップＳ５２においてＶＲ計算を行うことにより、左心室３１の内部組織の形状を反映させたデータ（以下、ＶＲ計算によって得られたデータを「積算データ」と称する）を、心尖部４１から心基部４２に至る範囲において、基準軸４０周りに３６０度に亘って得ることができる。
【００４９】
〈５−３〉ステップＳ５２において得られた積算データを、極座標表示（ｒ，θ）の一つであるブルズアイ表示法を用いて、例えば図１４（ａ）に示すような、左心室３１を形成する内部組織５１の形状を反映させたブルズアイ画像５０を生成する（ブルズアイ表示ステップ；図４のステップＳ５３参照）。このステップＳ５３においては、ステップＳ５１で設定された断面毎に、半径が異なる同心円の円周上に内部組織５１に関する積算データを配置することにより、内部組織５１の形状を反映させたブルズアイ画像５０を生成する。
【００５０】
具体的には、最も心尖部４１側の断面Ｃ１で得られた積算データが、最も半径の小さな同心円Ｄ１上に配置される（図１４（ａ）参照）。この断面Ｃ１の心基部４２側に隣接する断面Ｃ２で得られた積算データは、同心円Ｄ１の外側に隣接する同心円Ｄ２上に配置される。この断面Ｃ２の心基部４２側に隣接する断面Ｃ３で得られた積算データは、同心円Ｄ２の外側に隣接する同心円Ｄ３上に配置される。このように、断面位置が心基部４２に近づくに従って、図１４（ａ）において径方向外側の同心円上に積算データが配置される。そして、最も心基部４２側の断面Ｃｎで得られた積算データは、最も半径の大きな同心円Ｄｎ上に配置されて、内部組織５１の形状を反映させたブルズアイ画像５０が生成される。このブルズアイ画像５０においては、内部組織５１の一部としての乳頭筋５２が表示されている。なお、実際には、同心円の境界部分において画像が若干不連続になる場合があり得るが、例えば基準軸４０方向における断面群Ｃの設定間隔を狭くすれば、なめらかに連続した画像を生成できる。
【００５１】
〈５−４〉制御部１１の冠動脈形状画像生成手段２２により、対象領域３３に含まれる冠動脈（心筋部３２の外膜側表面を走行する冠動脈）について、ＶＲ計算が行われる（冠動脈ＶＲ計算ステップ；図４のステップＳ５４参照）。ここでは、ステップＳ４０で設定された基準軸４０、ステップＳ５１で設定された断面群Ｃ、およびステップＳ５２で設定された直線４３を用いて、断面毎にボリュームレンダリング演算を施し、冠動脈に対応するボクセルデータを各直線４３方向に積算する。これにより、冠動脈の形状を反映させた積算データを、心尖部４１から心基部４２に至る範囲において、基準軸４０周りに３６０度に亘って得ることができる。
【００５２】
〈５−５〉制御部１１の表示位置設定手段２３により、図１４（ｂ）に示すように、内部組織５１の形状を反映させたブルズアイ画像５０と、冠動脈６１の形状を反映させたブルズアイ画像とを合わせて表示させたブルズアイ画像６０（２次元観察用画像）を生成する（ブルズアイ表示ステップ；図４のステップＳ５５参照）。このステップＳ５５においては、図１４（ａ）に示すブルズアイ画像５０（内部組織５１を表す積算データが配置された領域）に対して、冠動脈の形状を反映させた積算データが重ねて配置される。
【００５３】
このとき、冠動脈の形状を反映させた積算データは、上述した内部組織５１の形状を反映させた積算データの配置方法と同様の配置方法により配置される。すなわち、断面位置が心基部４２に近づくに従って、図１４（ｂ）において径方向外側の同心円上に積算データが配置され、ブルズアイ画像６０が生成される。このとき、表示位置設定手段２３により、同一の直線４３に沿って積算されて得られた、内部組織５１の形状を反映させた積算データと冠動脈６１の形状を反映させた積算データとが、図１４（ｂ）における同一の径上に並ぶように配置される。このため、内部組織５１の形状および冠動脈６１の形状が反映されたブルズアイ画像６０を観察すれば、内部組織５１と冠動脈６１との位置関係を広範囲に亘って一目で把握できる。よって、例えば冠動脈６１および乳頭筋５２を損傷させることなくメス等を入れることができる位置を、簡単且つ正確に把握することが可能となる。
【００５４】
本実施形態においては、ステップＳ３０において設定された分割領域毎の色を用いて、ブルズアイ画像が表示されるようになっており、例えば図１４（ｂ）に示すブルズアイ画像６０において、分割領域３４〜３７のそれぞれがステップＳ３０で設定された色を用いて表示される。このため、ブルズアイ画像６０を観察すれば、表示色の違いによって分割領域３４〜３７それぞれの情報（例えば、切開部位や切除部位等）を簡単に把握することができる。なお、ブルズアイ画像６０中に示す点線６２は、分割領域３４〜３７の境界線を示す。
【００５５】
また、本実施形態におけるボリュームレンダリング演算（ステップＳ５２およびステップＳ５４）では、各信号値に対して色および不透明度のパラメータが予め与えられており、所定の閾値を越える不透明度を有する部分（光を透過させにくいボクセル）から優先的に影付け処理が行われる。この影付け処理により、内部組織５１および冠動脈６１を立体的に表示させたブルズアイ画像６０を得ることができる。
【００５６】
さらに、本発明に係る医用画像生成装置１では、ブルズアイ画像６０に表示された内部組織５１と冠動脈６１とに対して、個別に不透明度を設定することができるようになっている。このため、例えば冠動脈６１の不透明度を低く設定して内部組織５１を浮かび上がらせて表示することで、内部組織５１の状態を詳細に観察したり、これとは反対に内部組織５１の不透明度を低く設定して冠動脈６１を浮かび上がらせて表示することで、冠動脈６１の状態を詳細に観察したり、することができる。
【００５７】
以上、本発明の一実施形態について説明したが、本発明は上記実施形態に限定されるものではなく、種々に態様を変更することが可能である。
【００５８】
上述の実施形態においては、図１３に示すように真っ直ぐな直線４３を設定し、この直線４３に沿ってボクセルデータを積算する方法を例示して説明したが、この方法に代え、若干の曲率を持った曲線を設定し、この曲線に沿ってボクセルデータを積算するようにしても良い。
【００５９】
上述の実施形態では、図３に示すステップＳ４０において、心尖部４１を特定した後で心基部４２を特定する手順を例示して説明したが、本発明はこの手順に限定されるものではない。例えば上記の順序を入れ替えて、心基部４２を特定した後で心尖部４１を特定するようにしても良い。
【００６０】
上述の実施形態では、図４に示すステップＳ５０において、内部組織５１のブルズアイ画像５０を生成（ステップＳ５３）した後で、冠動脈についてＶＲ計算を行う（ステップＳ５４）手順について説明したが、この順序を入れ替えて、ステップＳ５４を実行した後でステップＳ５３を実行するようにしても良い。また、図４に示すステップＳ５０においては、心筋部３２をＶＲ計算およびブルズアイ表示した後で、冠動脈をＶＲ計算およびブルズアイ表示する手順について説明したが、これとは逆に、冠動脈をＶＲ計算およびブルズアイ表示した後で、心筋部３２をＶＲ計算およびブルズアイ表示して、ブルズアイ画像６０を生成することも可能である。
【００６１】
上述の実施形態においては、図４に示すステップＳ５０において、心筋部３２と冠動脈とを別々にＶＲ計算する方法について説明したが、本発明はこの方法に限定されるものではない。本実施形態においては、断面群Ｃに沿った幅の薄い領域内のボクセルに対してＶＲ計算が行われるので、心筋部３２と冠動脈とをまとめてＶＲ計算することも可能である。そして、このＶＲ計算により得られた積算データを、ブルズアイ表示法に対応させて配置することで、内部組織と冠動脈との位置関係が広範囲に亘って表示されたブルズアイ画像を生成できる。
【００６２】
上述の実施形態では、主としてＣＴ装置またはＭＲＩ装置により得られた３次元画像データを用いる場合について説明したが、本発明はこれに限定されるものではなく、他の画像撮像装置により得られた３次元画像データを用いて、診断に好適な２次元観察用画像を生成することも可能である。
【００６３】
上述の実施形態において、対象領域３３に対応する３次元画像データから、冠動脈に対応する３次元画像データを分離抽出することについて説明したが（ステップＳ５４）、ここでは、冠動脈に対応する３次元画像データの分離抽出方法の一例について以下に説明する。なお、対象領域３３に対応する３次元画像データから、冠動脈に対応する３次元画像データを分離抽出すれば、心筋部に対応する３次元画像データが残ることとなるので、結果としてこの心筋部が抽出可能となる。
【００６４】
まず、心筋部および冠動脈を含む３次元画像データを用いて、心臓を中心に位置させた画像表示を行い、その画像の信号値と座標との関係をグラフに示す。そのグラフにおいて、略台形状となって周辺部よりも高い信号値を持つ部分が画像の中央付近に現れるので、この部分を上行大動脈と特定できる。このとき、上行大動脈と同様に、周辺部よりも高い信号値を持つ下行大動脈は、画像中央から離れた位置に現れるので、上行大動脈を下行大動脈と区別して特定することができる。また、冠動脈（左冠動脈および右冠動脈）は大動脈（上行大動脈）から分岐する最初の血管であり、本発明が適用される心筋部および冠動脈を含む３次元画像データは、冠動脈以外の血管（腕頭動脈や左総頚動脈等）の分岐部を含まない。このため、上記のようにして特定された上行大動脈に対し、信号値に基づいて上行大動脈に属すると推定される連結領域を順次取り込みながら領域拡張を行うリージョングローイング法を適用して、上行大動脈全体を抽出することにより、冠動脈（左冠動脈および右冠動脈）の起始部を検出できる。
【００６５】
このようにして検出された起始部を始点として、冠動脈の末梢側に向けてパスを追跡することで冠動脈の芯線が決定される。冠動脈の芯線決定方法について具体的に説明すると、まず、３次元画像データの各データ値（ボクセル値）に基づき、画像データ空間内の局所領域において冠動脈の芯線上に位置すると推定される点（以下「経由点」と称する）を設定する。次に、経由点を含む局所領域におけるヘッセ（Hesse）行列の固有値を算出し、算出された固有値に基づき冠動脈の芯線の主軸方向（芯線の延びる方向）を求め、その主軸方向に新たな経由点を設定する。この手順を繰り返すことにより多数の経由点を順次設定し、設定された経由点同士を滑らかに連結することにより、冠動脈の全体的な芯線が決定される。そして、この芯線に沿った３次元画像データが、冠動脈に対応する３次元画像データとして分離抽出される。
【００６６】
上述の実施形態（ステップＳ４１）において、心臓３０の下端部において斜め下方に向けて尖った部分を心尖部４１として特定する方法を例示して説明したが、この特定方法に代えて、以下のようにして心尖部４１を特定することも可能である。一般に、心臓３０（心筋部３２）は相対的に信号値が高いため、上記のリージョングローイング法を冠動脈の起始部検出後も引き続き体軸方向上側から下側へ向けて適用した場合、心臓３０の下端部近傍（心尖部４１）まで達するとリージョングローイング法による追跡が終了する。すなわち、心臓３０に対して、体軸方向上側から下側へ向けてリージョングローイング法を適用し、このリージョングローイング法による追跡が終了する直前の、信号値の高い領域部分を心尖部４１として特定することができる。
【００６７】
上述の実施形態（ステップＳ４２）において、心尖部４１が尖って突出する向きとは反対向きに、信号値の高い部分を辿ることにより心基部４２を特定する方法について説明したが、この方法に代えて以下のようにして心基部４２を特定することも可能である。すなわち、心尖部４１を始点として、体軸方向上側に向けてリージョングローイング法を適用し、このリージョングローイング法による追跡が終了する直前の、信号値の高い領域部分として心基部４２を特定することも可能である。
【００６８】
上述の実施形態（ステップ４３）において、特定された心尖部４１と心基部４２とを通る軸として基準軸４０を設定する方法について説明したが、この設定方法に代えて、以下の２つの例のようにして基準軸４０を設定することも可能である。第１の例は、基準軸設定手段２０により自動で、心臓３０内を通過する任意の軸を基準軸４０として設定する構成である。第２の例は、ユーザーが操作装置３等を操作して任意の２点を指定し、この指定された２点を結んで基準軸４０を設定することである。
【符号の説明】
【００６９】
１  医用画像生成装置
２  画像表示装置
３  操作装置
４  画像撮像装置（医用画像撮像装置）
１１  制御部
１２  画像データ記憶部
１３  観察用画像記憶部
１４  画像データ出力インタフェース
１５  操作入力インタフェース
１６  画像データ入力インタフェース
２０  基準軸設定手段
２１  内部組織形状画像生成手段
２２  冠動脈形状画像生成手段
２３  表示位置設定手段
３０  心臓
３１  左心室
３２  心筋部
３３  対象領域
３４〜３９  分割領域
４０  基準軸
４１  心尖部
４２  心基部
４３  直線
５０  ブルズアイ画像
５１  内部組織（内部組織形状画像）
５２  乳頭筋
６０  ブルズアイ画像（２次元観察用画像）
６１  冠動脈（冠動脈形状画像）
６２  境界線
Ｃ  断面群
Ｃ１〜Ｃｎ  断面
Ｄ１〜Ｄｎ  同心円
【図１】
2014076288.tif 000003
【図２】
2014076288.tif 000004
【図３】
2014076288.tif 000005
【図４】
2014076288.tif 000006
【図１４】
2014076288.tif 000007
【図５】
2014076288.tif 000008
【図６】
2014076288.tif 000009
【図７】
2014076288.tif 000010
【図８】
2014076288.tif 000011
【図９】
2014076288.tif 000012
【図１０】
2014076288.tif 000013
【図１１】
2014076288.tif 000014
【図１２】
2014076288.tif 000015
【図１３】
2014076288.tif 000016